(57)【要約】【課題】ＵＳＢ規格の接続端子を有して所望の形象物の形に形成された玩具に、少なくとも１以上の操作部を備え、該操作部を操作することによって、音声出力を行うと共に該形象物の一部を可動させる趣向の高い装飾体可動玩具を提供する【解決手段】ＵＳＢ規格の接続端子を有し、前記接続端子を外部機器に接続することによって電力供給が行われる装飾体可動玩具であって、前記装飾体可動玩具は、可動する可動装飾部と、前記可動部を可動させる駆動部と、操作を行う操作部と、複数の音声情報を記憶する音声記憶部と、音声を出力する音声出力部と、前記接続端子を外部機器に接続させた時や、前記操作部の操作が行われた時に、前記駆動部を駆動させると共に、前記音声記憶部から音声情報を読み出して前記音声出力部に対して音声情報を出力する制御部とを備えた。【選択図】図１
0003133246.tif 000002
【実用新案登録請求の範囲】
【請求項１】
ＵＳＢ規格の接続端子を有し、前記接続端子を外部機器に接続することによって電力供給が行われる装飾体可動玩具であって、
前記装飾体可動玩具は、装飾体基部と、前記装飾体基部の上方に位置して可動する可動装飾部と、前記装飾体基部に付設された操作部とで構成され、
前記装飾体基部には、
前記可動装飾部を可動させる駆動部と、
複数の音声情報を記憶する音声記憶部と、
音声を出力する音声出力部と、
前記接続端子を外部機器に接続させて外部機器より電力供給が開始された時や前記操作部の操作が行われた時に、前記駆動部を駆動させると共に前記音声記憶部から音声情報を読み出して前記音声出力部に対して音声情報を出力する制御部と、を内設していることを特徴とした装飾体可動玩具。
【請求項２】
請求項１において、前記駆動部は、ピニオンギアを有するモータと、前記ピニオンギアと歯合し回転速度を減速する減速歯車群と、前記減速歯車群の回転軸に軸支された偏心カムとで構成されており、前記駆動部の前記偏心カムの回転により、前記可動装飾部を上下に可動させることを特徴とした装飾体可動玩具。
【請求項３】
請求項１又は２において、前記操作部は、第一操作部と、第二操作部とで構成され、前記第一操作部及び第二操作部は、前記装飾体基部に回動自在に軸支され、前記第一操作部及び第二操作部を回動させることによって操作を行うことを特徴とした装飾体可動玩具。
【請求項４】
請求項１乃至３のいずれか１項において、前記装飾体基部には、少なくとも１以上のＵＳＢ接続ポートを有し、ＵＳＢハブ制御部を内設していることを特徴とした装飾体可動玩具。
【請求項５】
請求項１乃至４のいずれか１項において、前記音声記憶部に記憶されている複数の音声情報は、エンジンを作動させた時に生じる音を模した音声情報であることを特徴とした装飾体可動玩具。
【請求項６】
請求項１乃至５のいずれか１項において、前記装飾体可動玩具は、自動二輪車のエンジンを模した形に形成され、前記可動装飾部は、自動二輪車のエンジンの一部となるシリンダとキャブレターを模して形成され、前記装飾体基部は、自動二輪車のエンジンの一部となるクランクルームとギアボックスを模して形成されていることを特徴とした装飾体可動玩具。
【請求項７】
請求項６において、前記操作部の一つとなる第一操作部は、自動二輪車のチェンジペダルを模した形に形成され、前記操作部の一つとなる第二操作部は、自動二輪車のキックペダルを模した形に形成されたことを特徴とした装飾体可動玩具。
【考案の詳細な説明】
【技術分野】
【０００１】
本考案は、コンピュータに周辺機器を接続するＵＳＢ規格の接続端子を有する装飾体可動玩具に関するものである。
【背景技術】
【０００２】
近年、コンピュータの外部の周辺機器を接続する為の規格としてＵＳＢ（ユニバーサル・シリアル・バス）と呼ばれる規格が用いられている。このＵＳＢ規格は、バスパワード方式と呼ばれるコンピュータ側より電力の供給が可能とされる方式が採用されると共にホットプラグと称され、コンピュータの起動中でも自由に抜き差し可能な規格となっている。
【０００３】
また、ＵＳＢ規格の接続端子を有する装飾体として本願出願人が出願した登録実用新案第３１２５９０７号（特許文献１）「装飾体可動装置」の如く、その外観を所望の形象物の形状に形成したものが提案されている。この装飾体可動装置は、ＵＳＢ接続端子を有しており、該ＵＳＢ端子をコンピュータに接続することによって、装飾体可動装置に設けられた可動部が可動するものである。このように従来のＵＳＢ規格の接続端子を有して可動する装飾体可動装置はあったが、その動きはコンピュータ側や装飾体側から操作されるものでは無いものであった。
【特許文献１】登録実用新案第３１２５９０７号公報
【考案の開示】
【考案が解決しようとする課題】
【０００４】
そこで、本考案は、上記従来技術の問題点に斯かる実情に鑑みなされたもので、ＵＳＢ規格の接続端子を有して所望の形象物の形に形成された玩具に、少なくとも１以上の操作部を備え、該操作部を操作することによって、音声出力を行うと共に該形象物の一部を可動させる趣向の高い装飾体可動玩具を提供することを課題とする。
【課題を解決するための手段】
【０００５】
請求項１に記載の考案は、ＵＳＢ規格の接続端子を有し、前記接続端子を外部機器に接続することによって電力供給が行われる装飾体可動玩具であって、前記装飾体可動玩具は、装飾体基部と、前記装飾体基部の上方に位置して可動する可動装飾部と、前記装飾体基部に付設された操作部とで構成され、前記装飾体基部には、前記可動装飾部を可動させる駆動部と、複数の音声情報を記憶する音声記憶部と、音声を出力する音声出力部と、前記接続端子を外部機器に接続させて外部機器より電力供給が開始された時や、前記操作部の操作が行われた時に前記駆動部を駆動させると共に前記音声記憶部から音声情報を読み出して前記音声出力部に対して音声情報を出力する制御部と、を内設していることを特徴とする。
【０００６】
請求項２に記載の考案は、請求項１において、前記駆動部は、ピニオンギアを有するモータと、前記ピニオンギアと歯合し回転速度を減速する減速歯車群と、前記減速歯車群の回転軸に軸支された偏心カムとで構成されており、前記駆動部の前記偏心カムの回転により、前記可動装飾部を上下に可動させることを特徴とする。
【０００７】
請求項３に記載の考案は、請求項１又は２において、前記操作部は、第一操作部と、第二操作部とで構成され、前記第一操作部及び第二操作部は、前記装飾体基部に回動自在に軸支され、前記第一操作部及び第二操作部を回動させることによって操作を行うことを特徴とする。
【０００８】
請求項４に記載の考案は、請求項１乃至３のいずれか１項において、前記装飾体基部には、少なくとも１以上のＵＳＢ接続ポートを有し、ＵＳＢハブ制御部を内設していることを特徴とする。
【０００９】
請求項５に記載の考案は、請求項１乃至４のいずれか１項において、前記音声記憶部に記憶されている複数の音声情報は、エンジンを作動させた時に生じる音を模した音声情報であることを特徴とする。
【００１０】
請求項６に記載の考案は、請求項１乃至５のいずれか１項において、前記装飾体可動玩具は、自動二輪車のエンジンを模した形に形成され、前記可動装飾部は、自動二輪車のエンジンの一部となるシリンダとキャブレターを模して形成され、前記装飾体基部は、自動二輪車のエンジンの一部となるクランクルームとギアボックスを模して形成されていることを特徴とする。
【００１１】
請求項７に記載の考案は、請求項６において、前記操作部の一つとなる第一操作部は、自動二輪車のチェンジペダルを模した形に形成され、前記操作部の一つとなる第二操作部は、自動二輪車のキックペダルを模した形に形成されたことを特徴とする。
【考案の効果】
【００１２】
本考案によれば、ＵＳＢ規格の接続端子を有し装飾体として形成された玩具に、第一操作部と第二操作部を備え、該操作部のいずれか一方を操作することによって、音声記憶部に記憶させた音声を音声出力部から出力を行うと共に、該装飾体の一部を模した可動装飾部を可動させることができる玩具とすることができる。
【００１３】
そして、装飾体として自動二輪車のエンジンを模した形状とし、音声記憶部にエンジンを作動させた時に生じる音を記憶させ、チェンジペダルやキックペダルを操作部とすれば、装飾体可動玩具は、第一操作部（チェンジペダル）や第二操作部（キックペダル）を操作すると、恰もエンジンが作動しているかのように振動すると共に、エンジンを作動させた時に生じる音を出力できるものであり趣向の高い玩具として提供できるものである。
【考案を実施するための最良の形態】
【００１４】
ＵＳＢ規格の接続端子を有し、前記接続端子を外部機器に接続することによって電力供給が行われる装飾体可動玩具であって、前記装飾体可動玩具は、自動二輪車のエンジンを模して形成され、自動二輪車のエンジンの一部となるクランクルームとギアボックスを模して形成された装飾体基部と、シリンダとキャブレターを模して形成され前記装飾体基部の上方に位置して可動する可動装飾部と、前記装飾体基部に付設され操作部となる自動二輪車のチェンジペダルを模して形成された第一操作部と、同じく装飾体基部に付設された操作部となる自動二輪車のキックペダルを模した形に形成され第二操作部とで構成され、前記装飾体基部には、前記可動装飾部を可動させる駆動部と、複数の音声情報を記憶する音声記憶部と、音声を出力する音声出力部と、前記接続端子を外部機器に接続させて外部機器より電力供給が開始された時や、前記操作部の操作が行われた時に、前記駆動部を駆動させると共に、前記音声記憶部から音声情報を読み出して前記音声出力部に対して音声情報を出力する制御部とを内設している。
【００１５】
また、前記駆動部は、ピニオンギアを有するモータと、前記ピニオンギアと歯合し回転速度を減速する減速歯車群と、前記減速歯車群の回転軸に軸支された偏心カムとで構成され、前記第一操作部及び第二操作部は、前記装飾体基部に回動自在に軸支されているものである。また、前記音声記憶部には、エンジンを作動させた時に生じる音を模した音声情報を複数記憶されているものである。そして、前記装飾体基部に、少なくとも１以上のＵＳＢ接続ポートを有し、ＵＳＢハブ制御部を内設することもある。
【実施例１】
【００１６】
以下、図面を参照して本考案に係る装飾体可動玩具の一実施例を詳細に説明する。図１及び図２は、本考案の装飾体可動玩具の外観図である。この図１及び図２を用いて、装飾体可動玩具を説明する。
【００１７】
本考案の装飾体可動玩具１０は、図１及び図２に示すように自動二輪車のエンジンを模した形に形成されており、このエンジンの下方部分となるクランクルームとギアボックスを模した装飾体基部１６と、該装飾体基部１６の上方に位置して装飾体基部１６に上下に摺動自在に軸支（図示しない）されてエンジンの上方部分となるシリンダとキャブレターを模した可動装飾部１２とで構成されている。
【００１８】
また、エンジンの下方部分を模した装飾体基部１６の側面には、操作部２２となる自動二輪車のチェンジペダルを模した第一操作部２４と、自動二輪車のキックペダルを模した第二操作部２６が回動自在に軸着されている。そして、この装飾体基部１６の操作部２２が付設された裏面には、ＵＳＢ（ユニバーサル・シリアル・バス）規格の装置を接続可能とするＵＳＢ接続ポート２０が複数設けられている。
【００１９】
この操作部２２となる第一操作部２４と第二操作部２６のいずれか一方を、図３に示すように所定の角度に回動させると、後述する主基板の制御部に対して操作信号を送信するものである。
【００２０】
また、装飾体可動玩具１０の装飾体基部１６の上面には、コンピュータやＵＳＢハブに設けられたＵＳＢ接続ポートに接続する接続端子を有するＵＳＢ接続ケーブル１８が取り付けられ、このＵＳＢ接続ケーブル１８の接続端子をコンピュータやＵＳＢハブとなる外部機器に設けられたＵＳＢ接続ポートに接続することによって、装飾体可動玩具１０に電力が供給されるようになるものである。
【００２１】
このＵＳＢ接続ケーブル１８は、コンピュータに周辺機器を接続するシリアルバスの１つとなるＵＳＢ規格の接続ケーブルとなっており、２ピンの信号線と、２ピン電源線からなる接続端子をその先端に有している。実施例の装飾体可動玩具１０のＵＳＢ接続ケーブル１８の接続端子は、ホスト側となるコンピュータやＵＳＢハブのクライアント側のＵＳＢ接続ポートに差し込むＵＳＢ−Ａ端子である。また、クライアント側となるパソコンから接続されるプリンタなどの周辺機器のＵＳＢ接続ポートや、ハブのホスト側として使われるＵＳＢ接続ポートに差し込むＵＳＢ−Ｂ端子や、デジタルカメラなどの小型機器に使用されるミニＵＳＢ端子を用いても構わない。
【００２２】
そして、この装飾体基部１６の側面には、音声出力部３６となるスピーカが内設されており、後述する制御部からの出力された音声信号に応じて、音声の出力を行うものである。
【００２３】
さらに、この装飾体基部１６には、エンジンの上方部分となるシリンダとキャブレターを模した可動装飾部１２を上下に摺動するように可動させる駆動部４０が内設されており、この駆動部４０は、図４（Ａ）、図４（Ｂ）に示すようにモータ４２と、減速歯車群４６と、偏心クランク５２とで構成されている。
【００２４】
駆動部４０のモータ４２は、その回転軸の先端に、減速歯車群４６に回転を伝達するピニオンギア４４が軸着されおり、後述する減速歯車群４６の第一平歯車４８の大歯車と歯合するものである。そして減速歯車群４６は、大小２つの平歯車を同軸とした歯車となる第一平歯車４８と、第一平歯車４８の大歯車と略同じ径とする第二平歯車５０で構成され、減速歯車群４６の第一平歯車４８の大歯車は、上述の通りにモータ４２のピニオンギア４４と歯合し、第一平歯車４８の小歯車は、第二平歯車５０と歯合するものである。また第二平歯車５０の回転軸には、中実で円柱形状に形成された偏心クランク５２が、第二平歯車５０と同心では無い位置で軸着しているものである。
【００２５】
そして、駆動部４０の偏心クランク５２の円柱の側面には、図４（Ａ）に示すように該装飾体基部１６に上下に摺動自在に軸支されてエンジン上方部分となるシリンダとキャブレターを模した可動装飾部１２の下端に形成された円柱状の凸部となる従動凸部１４が当接されている。これにより偏心クランク５２の回転に伴って、図５（Ａ）及び図５（Ｂ）に示すように該可動装飾部１２の従動凸部１４は、偏心クランク５２の回転により押圧されることから、該可動装飾部１２を上下に摺動させるものである。そして実施例では、偏心クランク５２は、その円柱の中心軸から約１．５ｍｍずれた位置で第二平歯車５０の回転軸と軸着しており、この偏心クランク５２が、回転することによって、可動装飾部１２を約１．５ｍｍ上下に摺動させるものである。
【００２６】
また、この装飾体基部１６には、図示しないが制御部とＵＳＢハブ制御部及び音声記憶部からなる主基板が内設されているものである。
【００２７】
この主基板に設けられた制御部は、ＵＳＢ接続ケーブル１８の接続端子を、コンピュータやＵＳＢハブとなる外部機器に設けられたＵＳＢ接続ポートに接続した時（電力を供給された時）に、駆動部４０を駆動させると共に、音声記憶部から所定の音声情報を読み出し、音声出力部３６に対して音声信号を出力するものである。また、この制御部は、第一操作部２４及び第二操作部２６からの操作信号に応じて、駆動部４０のモータ４２を駆動させると共に、音声記憶部から該操作信号に応じた音声情報を読み出し、音声出力部３６に対して音声信号を出力するものである。
【００２８】
そして、ＵＳＢハブ制御部は、装飾体基部１６に設けられたＵＳＢ接続ポート２０にＵＳＢ規格の装置を接続された時に、ホスト側となるコンピュータが行う作業を、ホスト側となるコンピュータに代わって行う制御部であり、ＵＳＢハブ規格に準じた制御を行うものである。このＵＳＢハブ制御部は、例えば、ＵＳＢ接続ポート２０に接続された装置の検出、ＵＳＢ接続ポート２０に接続された装置の通信速度の検出、ＵＳＢ接続ポート２０に接続された装置への電力供給、信号の分配、通信速度の変換などを行うものである。
【００２９】
また音声記憶部には、エンジンを作動させた時に生じる音を模した音声情報を予め複数記憶されている。実施例では、スタート音となる自動二輪車用のエンジンを始動させた時に生じる音を模した音声情報や、チェンジ音となる自動二輪車用のエンジンが稼働中にチェンジペダルを使用した時に生じる音を模した音声情報や、キック音となるキックペダルを用いて自動二輪車用のエンジン始動させる時に生じる音を模した音声情報が記憶されている。これにより、例えば、装飾体可動玩具１０のチェンジペダルを模した第一操作部２４を操作した時には、チェンジ音が音声出力部３６より音声出力されるようになるものである。
【００３０】
次に、この本考案の装飾体可動玩具１０の使用例を説明する。図６に示すように装飾体可動玩具１０のＵＳＢ接続ケーブル１８の接続端子をコンピュータのＵＳＢ接続ポートに接続することによって、装飾体可動玩具１０に電力が供給される。この時に、装飾体可動玩具１０は、駆動部４０のモータ４２を駆動させることにより可動装飾部１２を上下に可動させ、音声出力部３６からスタート音を所定の時間（実施例では１１秒間）出力する。その後、操作部２２となる第一操作部２４や第二操作部２６が操作されると、駆動部４０のモータ４２を駆動させることにより可動装飾部１２を上下に可動させ、音声出力部３６からチェンジ音やキック音を所定の時間（実施例では９秒間）出力されるものである。
【００３１】
以上説明したように、この本考案の装飾体可動玩具１０は、ＵＳＢ規格の接続端子を有して自動二輪車のエンジンを模して形成された玩具に、自動二輪車のチェンジペダルを模した第一操作部２４と、自動二輪車のキックペダルを模した第二操作部２６を備え、該操作部２２のいずれか一方を操作することによって、音声出力部３６より音声を出力すると共に、該エンジンの上方部分を模した可動装飾部１２を上下に可動させるものである。従って、エンジンを模して形成された装飾体可動玩具１０は、第一操作部２４や第二操作部２６が操作されると、恰もエンジンが作動しているかのように振動すると共に、エンジンを作動させた時に生じる音を出力できるものであり趣向の高い玩具とすることができるものである。このように、好ましい実施例を挙げて本考案を説明したが、本考案はその実施例に限定されるものではなく、本考案の要旨の範囲内で種々に改変できる。
【図面の簡単な説明】
【００３２】
【図１】本考案の一実施例である装飾体可動玩具の外観を示す斜視図である。
【図２】本考案の一実施例である装飾体可動玩具を裏面から見た斜視図である。
【図３】本考案の一実施例である装飾体可動玩具の操作部の動きを示す図である。
【図４】本考案の一実施例である装飾体可動玩具の駆動部を示す図である。
【図５】本考案の一実施例である装飾体可動玩具の駆動部及び可動装飾部の動きを示す概念図である。
【図６】本考案の一実施例である装飾体可動玩具のコンピュータに接続した状態を示す図である。
【符号の説明】
【００３３】
１０  装飾体可動玩具
１２  可動装飾部
１４  従動凸部
１６  装飾体基部
１８  ＵＳＢ接続ケーブル
２０  ＵＳＢ接続ポート
２２  操作部
２４  第一操作部
２６  第二操作部
３６  音声出力部
４０  駆動部
４２  モータ
４４  ピニオンギア
４６  減速歯車群
４８  第一平歯車
５０  第二平歯車
５２  偏心クランク
【図１】
0003133246.tif 000003
【図２】
0003133246.tif 000004
【図３】
0003133246.tif 000005
【図４】
0003133246.tif 000006
【図５】
0003133246.tif 000007
【図６】
0003133246.tif 000008